(57)【要約】【課題】安定した送液を実現するマイクロ流路デバイスを提供する。【解決手段】液を流通させる流路が設けられたマイクロ流路デバイスであって、本流路と、前記本流路を挟んで該本流路にそれぞれ接続する一対の分流路と、を備え、前記本流路は、第１の区間と、第２の区間と、前記第１の区間と前記第２の区間とを連結する連結区間と、を含み、前記第２の区間は、前記第１の区間に比べて、底面と天井面との間隔が小さく、前記連結区間は、前記第１の区間から前記第２の区間に向けて、底面と天井面との間隔が次第に小さくなっており、前記本流路における前記一対の分流路との接続区間と、前記連結区間とは、重なりを有し、前記一対の分流路は、少なくとも前記接続区間と前記連結区間とが重なる区間において、前記本流路の底面及び天井面を跨いで該本流路に接続している。【選択図】図３
2011163986.tif 000002
【特許請求の範囲】
【請求項１】
液を流通させる流路が設けられたマイクロ流路デバイスであって、
前記流路は、本流路と、前記本流路を挟んで該本流路にそれぞれ接続する一対の分流路と、を備え、
前記本流路は、第１の区間と、第２の区間と、前記第１の区間と前記第２の区間とを連結する連結区間と、を含み、
前記第２の区間は、前記第１の区間に比べて、底面と天井面との間隔が小さく、
前記連結区間は、前記第１の区間から前記第２の区間に向けて、底面と天井面との間隔が次第に小さくなっており、
前記本流路における前記一対の分流路との接続区間と、前記連結区間とは、重なりを有し、
前記一対の分流路は、少なくとも前記接続区間と前記連結区間とが重なる区間において、前記本流路の底面及び天井面を跨いで該本流路に接続しているマイクロ流路デバイス。
【請求項２】
請求項１記載のマイクロ流路デバイスであって、
前記接続区間は、前記第１の区間に及んでおり、
前記一対の分流路の各々の底面は、前記本流路の前記第１の区間における底面と面一であり、
前記一対の分流路の各々の天井面は、前記本流路の前記第１の区間における天井面と面一であるマイクロ流路デバイス。
【請求項３】
請求項１又は請求項２に記載のマイクロ流路デバイスであって、
前記接続区間は、前記連結区間における前記第２の区間側の端に達しているか、又は前記第２の区間に及んでいるマイクロ流路デバイス。
【請求項４】
請求項１から３のいずれか一項記載のマイクロ流路デバイスであって、
複数の基板部材が積層されてなる基板を備え、
前記本流路及び前記一対の分流路は、隣り合う二枚の前記基板部材の間に形成されており、前記一対の分流路は、これら二枚の基板部材に跨っているマイクロ流路デバイス。
【請求項５】
請求項１から４のいずれか一項記載のマイクロ流路デバイスであって、
前記第２の区間は、毛細管力で液体が浸潤するマイクロ流路デバイス。
【請求項６】
請求項１から４のいずれか一項記載のマイクロ流路デバイスであって、
前記第２の区間における底面と天井面との間隔は、０．２ｍｍ以下であるマイクロ流路デバイス。
【請求項７】
請求項１から６のいずれか一項に記載のマイクロ流路デバイスであって、
前記第２の区間は、該第２の区間を流れる液に含まれる検出対象物質を検出する検出手段が設けられているマイクロ流路デバイス。
【請求項８】
請求項７に記載のマイクロ流路デバイスであって、
前記検出対象物質は、抗原であり、
前記検出手段は、前記抗原を特異的に吸着する抗体であるマイクロ流路デバイス。
【発明の詳細な説明】
【技術分野】
【０００１】
本発明は、マイクロ流路デバイスに関する。
【背景技術】
【０００２】
近年、液体試料の分析にマイクロ流路デバイスが用いられている。マイクロ流路デバイスは、微細な流路に試料やその他の液を流通させ、流路内で化学的又は生化学的な反応を生じさせ、試料に含まれる検出対象物質を検出するものである（例えば、特許文献１参照）。
【０００３】
図１０は、特許文献１に記載されたマイクロ流路デバイスを示す。
【０００４】
特許文献１に記載されたマイクロ流路デバイス１０１は、試料に含まれるアレルゲンを電気化学的に検出するものである。マイクロ流路デバイス１０１は、２枚の基板部材１０２、１０３が積層されてなる基板１０４を備えており、これらの基板部材１０２、１０３の間に流路１０５が形成されている。流路１０５は、反応部１０６と、検出部１０７と、反応部１０６と検出部１０７とを連結する連結部１０８とを含んでいる。そして、反応部１０６には、試料に含まれるアレルゲンを特異的に吸着する抗体が固定されており、検出部１０７には、電極１０９が設けられている。
【０００５】
流路１０５には、アレルゲンに所定の酵素を結合させる前処理が施された試料が流される。試料に含まれるアレルゲンは、反応部１０６に固定された抗体によって捕捉される。次いで、アレルゲンに結合した酵素によって電極活性物質に変化する基質材料を含む緩衝液が流される。緩衝液に含まれる基質材料は、反応部１０６を流れる過程で、反応部１０６に捕捉されたアレルゲンに結合している酵素によって電極活性物質に変化する。この電極活性物質が、検出部１０７に達し、電極１０９に作用して電流が生じる。この電流を測定することによって、試料に含まれるアレルゲンを検出する。
【０００６】
特許文献１では、検出感度を高めるべく、検出部１０７における流路厚（底面と天井面との間隔）を、反応部１０６に比べて小さくしている。それにより、電極活性物質が電極１０９に作用しやすくなり、高感度化が図られる。
【先行技術文献】
【特許文献】
【０００７】
【特許文献１】特開２００６−３３７２２１号公報
【発明の概要】
【発明が解決しようとする課題】
【０００８】
特許文献１に記載されたマイクロ流路デバイスにおいて、流路厚が互いに異なる反応部１０６と検出部１０７とを連結する連結部１０８は、気泡の発生を防止し、送液を安定させるべく、反応部１０６から検出部１０７に向けて流路厚が次第に小さくさなるテーパとさている。しかし、依然として、連結部１０８において気泡が生じ得る。
【０００９】
図１１は、図１０のマイクロ流路デバイスの送液を模式的に示す。
【００１０】
液Ｌは、その表面張力に起因して、流路１０５の隅や、流路１０５に露呈する基板部材１０２、１０３の境界（以下、これらを総称してエッジという）を伝って先行する傾向にある。そして、エッジは、流路１０５の幅方向の両側に同様に存在するが、いずれか片側のエッジを伝って先行する傾向にある（ＦＩＧ．１１Ａ）。
【００１１】
反応部１０６に比べて流路厚が小さい検出部１０７では、流速が大きくなり、液は急速に濡れ広がる。そのため、連結部１０８の幅方向の片側を先行して液が流れ、検出部１０７に達すると、後続する液が検出部１０７に達する以前に、検出部１０７の端部が液で満たされる。そのため、連結部１０８において、その幅方向の片側に気泡Ａが巻き込まれる。そして、この気泡によって、液の流れが幅方向に不均一となり、安定した送液が阻害される。（ＦＩＧ．１１Ｂ〜ＦＩＧ．１１Ｄ）
【００１２】
本発明は、上述した事情に鑑みされたものであり、安定した送液を実現するマイクロ流路デバイスを提供することを目的とする。
【課題を解決するための手段】
【００１３】
液を流通させる流路が設けられたマイクロ流路デバイスであって、前記流路は、本流路と、前記本流路を挟んで該本流路にそれぞれ接続する一対の分流路と、を備え、前記本流路は、第１の区間と、第２の区間と、前記第１の区間と前記第２の区間とを連結する連結区間と、を含み、前記第２の区間は、前記第１の区間に比べて、底面と天井面との間隔が小さく、前記連結区間は、前記第１の区間から前記第２の区間に向けて、底面と天井面との間隔が次第に小さくなっており、前記本流路における前記一対の分流路との接続区間と、前記連結区間とは、重なりを有し、前記一対の分流路は、少なくとも前記接続区間と前記連結区間とが重なる区間において、前記本流路の底面及び天井面を跨いで該本流路に接続しているマイクロ流路デバイス。
【発明の効果】
【００１４】
本発明によれば、連結区間において、その幅方向の片側に気泡が巻き込まれることを防止し、安定した送液を実現することができる。
【図面の簡単な説明】
【００１５】
【図１】本発明の実施形態を説明するための、マイクロ流路デバイスの一例を示す図。
【図２】図１のマイクロ流路デバイスのII-II線断面を示す図。
【図３】図１のマイクロ流路デバイスの本流路と一対の分流路との接続箇所を示す図。
【図４】図１のマイクロ流路デバイスの本流路と一対の分流路との接続箇所を示す図。
【図５】図１のマイクロ流路デバイスの分流路におけるエッジの分断を模式的に示す図。
【図６】図１のマイクロ流路デバイスの送液を模式的に示す図。
【図７】図１のマイクロ流路デバイスの変形例であって、一対の分流路との接続箇所を示す図。
【図８】図７のマイクロ流路デバイスの本流路と一対の分流路との接続箇所を示す図。
【図９】図７のマイクロ流路デバイスの送液を模式的に示す図。
【図１０】従来のマイクロ流路デバイスを示す図。
【図１１】図１０のマイクロ流路デバイスの送液を模式的に示す図。
【発明を実施するための形態】
【００１６】
図１及び図２に、マイクロ流路デバイスの一例を示す。
【００１７】
以下に説明するマイクロ流路デバイスは、検出対象物質を含む液体試料を流通させ、励起発光する標識物質が結合した検出対象物質を流路内に捕捉し、捕捉された検出対象物質に付着している標識物質の発光を観察し、それにより検出対象物質を検出するものである。ただし、本発明はこれに限定されず、例えば上述の従来技術のように電気化学的に検出するものにも適用可能である。
【００１８】
マイクロ流路デバイス１は、基板２を備えている。基板２は、二枚の基板部材１０、１１が積層されて構成されている。下層の基板部材１０の表面には、所定のパターンの微細な溝１２が形成されている。基板部材１１には、基板部材１０の表面に接する裏面に、所定のパターンの微細な溝１３が形成されており、また、厚み方向に貫通する二つの孔１４、１５が形成されている。基板部材１０に基板部材１１を積層し、基板部材１０の溝１２と基板部材１１の溝１３とを合わせることで、基板２の内部に流路３が形成される。孔１４は、流路３の一方の端部に連通し、流路３に試料等の液を導入する導入孔となる。また、孔１５は、流路３の他方の端部に重なり、流路３を流れた液を排出する排出孔となる。
【００１９】
マイクロ流路デバイス１は、上述のとおり、標識物質の発光を観察して、検出対象物質を検出するものであるから、基板部材１０、１１の少なくともいずれかは透明である。なお、上述の従来技術のように電気化学的に検出する場合には、基板部材１０、１１の透明、不透明は問わない。
【００２０】
基板部材１０、１１の材料には、例えば樹脂が用いられる。そして、流路３を構成するための溝１２、１３は、例えば溝１２、１３のパターンが形成された型に樹脂を注入し、これを固化して作製することができる。また、樹脂の平板に、溝１２、１３のパターンでホットエンボスを施して作製することもできる。なお、一方の基板部材にのみ溝を形成し、この溝に他方の基板部材で蓋をして流路を構成することもできる。
【００２１】
流路３は、本流路４と、一対の分流路５とを備えている。
【００２２】
本流路４は、導入区間２０（第１の区間）と、検出区間２１（第２の区間）と、導入区間２０と検出区間２１とを連結する連結区間２２と、排出区間２３と、を含んでいる。導入区間２０は、導入孔１４に接続しており、排出区間２３は、排出孔１５に接続している。
【００２３】
検出区間２１には、試料に含まれる検出対象物質を検出するための検出手段が設けられる。本例のマイクロ流路デバイス１は、上述のとおり、励起発光する標識物質が結合した検出対象物質を流路内に捕捉し、捕捉された検出対象物質に結合している標識物質の発光を観察し、それにより検出対象物質を検出するものであり、検出区間２１には、検出対象物質を捕捉するための手段が設けられる。例えば、検出対象物質がアレルゲン等の抗原であれば、検出区間２１には、その表面に、抗原を特異的に吸着して捕捉する抗体が固定される。なお、検出手段は、検出対象物質の検出方法に応じて適宜選択され、上述の従来技術のように電気化学的に検出する場合には、検出区間２１の表面には電極が設けられる。
【００２４】
検出区間２１における流路厚（底面３０と天井面３１との間隔）Ｔ２は、導入区間２０における流路深さＴ１に比べて小さくなっており、検出区間２１は、導入区間２０に比べて扁平である。それにより、検出手段が設けられている検出区間２１の表面に、試料に含まれる検出対象物質が接触しやすくなり、検出感度の向上が図られる。導入区間２０の流路厚Ｔ１は、典型的には１ｍｍ〜２ｍｍである。検出区間２１の流路厚Ｔ２は、毛細管力により試料が全体に浸潤するよう、好ましくは０．２ｍｍ以下である。そして、連結区間２２は、その区間における流路厚が導入区間２０から検出区間２１に向けて次第に小さくなるテーパとされている。
【００２５】
一対の分流路５は、本流路４を挟んで本流路４にそれぞれ接続している。本流路４における分流路５との接続区間２４、即ち、分流路５の接続口２５が延在している区間は、連結区間２２に包含されており、接続区間２４は、その全区間に亘って連結区間２２に重なる。よって、分流路５の接続口２５は、連結区間２２にのみ開口している。なお、接続区間２４は、連結区間２２に一致してもよいし、また、導入区間２０に及んでいてもよいし、また、検出区間２１に及んでいてもよい。
【００２６】
図３及び図４は、図１のマイクロ流路デバイスの本流路と一対の分流路との接続箇所を示す。なお、図４は、一方の基板部材を省略して示している。
【００２７】
分流路５は、接続区間２４における本流路４の底面３０及び天井面３１を跨いで本流路４に接続している。換言すれば、基板２の表面を基準に、分流路５の底面３２は、接続区間２４における本流路４の底面３０より深い位置にあり、本流路４の底面３０との間に段を形成する。それにより、接続区間２４において、本流路４の底面３０の側縁３０ａに隣接して空間がおかれる。また、分流路５の天井面３３は、接続区間２４における本流路４の天井面３１より浅い位置にあり、本流路４の天井面３１と間に段を形成する。それにより、接続区間２４において、本流路４の天井面３１の側縁に隣接して空間がおかれる。
【００２８】
本流路４の隅は、その底面３０、及び天井面３１の側縁に沿って延在する。分流路５が、上記のように本流路４に接続することで、接続区間２４において、本流路４の底面３０の側縁３０ａ、及び天井面３１の側縁に隣接して空間がおかれる。そのため、本流路４の隅は、接続区間２４において分断される。
【００２９】
また、本流路４及び分流路５が、基板部材１０、１１との間に形成されることから、基板部材１０、１１の境界Ｂは、本流路４の底面３０と天井面３１との間、そして分流路５の底面３２と天井面３３との間に露呈する。分流路５が、接続区間２４における本流路４の底面３０及び天井面３１を跨いで本流路４に接続することで、基板部材１０、１１の境界Ｂは、常に分流路５を経由する。さらに、分流路５が基板部材１０、１１に跨っていることで、基板部材１０、１１の境界Ｂは、分流路５内で切断される。
【００３０】
図５に、分流路におけるエッジの切断を模式的に示す。
【００３１】
図５において、実線は、分流路５を形成する基板部材１０の溝１２の、基板部材１０の表面に現れる縁を示す。また、破線は、分流路５を形成する基板部材１１の溝１３の、基板部材１１の裏面に現れる縁を示す。
【００３２】
分流路５内での基板部材１０、１１の境界Ｂ（図３参照）は、互いに整合する基板部材１０の溝１２の縁と基板部材１１の溝１３の縁とで構成される。ここで、溝１２、１３の成形誤差や、基板部材１０、１１の組立誤差などにより、基板部材１０の溝１２の縁と基板部材１１の溝１３の縁とは交差する。その交差点Ｐにおいて、基板部材１０、１１の境界Ｂは切断される。
【００３３】
以上のように構成されたマイクロ流路デバイス１を用い、アレルゲン等の抗原を検出する方法を簡単に説明する。
【００３４】
抗原を含む液体試料に対して、励起発光する標識物質を抗原に結合させる前処理を施し、前処理を施した試料を導入孔１４に注入する。排出孔１５に減圧ポンプを接続し、導入孔１４と排出孔１５とに圧力差を生じさせ、導入孔１４に注入された試料を流路３に引き込む。試料は、導入区間２０、連結区間２２、検出区間２１、そして排出区間２３を経て排出孔１５より排出される。試料が検出区間２１を流れる過程で、試料に含まれる抗原は、検出区間２１の表面に固定された抗体に特異的に吸着され、捕捉される。そして、検出区間２１に励起光を照射し、検出区間２１に捕捉された抗原に結合している標識物質の発光を観察する。発光の有無、発光の強度から、試料に含まれていた抗原を検出する。
【００３５】
なお、前処理によって抗原に標識物質を付着させるものとして説明したが、導入区間２０の表面に標識物質を付着させ、或いは、標識物質を担持した担体を導入区間２０に配置しておき、試料が導入区間２０を流通する過程で、試料に含まれる抗原に標識物質を結合させるようにしてもよい。
【００３６】
図６は、図１のマイクロ流路デバイスの送液を模式的に示す。
【００３７】
導入区間２０を流れる液Ｌは、上述のとおり、液の表面張力に起因して、導入区間２０の幅方向のいずれか片側のエッジを伝って先行する。図示の例では、図中下側を伝って先行している。（ＦＩＧ．６Ａ）
【００３８】
先行する液は、連結区間２２に達し、そして、分流路５が接続している接続区間２４の導入区間２０側の端に達する。上述のとおり、底面３０及び天井面３１の側縁に沿って延在する本流路４の隅は、接続区間２４において分断されている。また、上述のとおり、基板部材１０、１１の境界Ｂは、分流路５を経由している。よって、エッジを伝って先行する液は、境界Ｂを伝って分流路５に流入するが、本流路４においては、接続区間２４の導入区間２０側の端にとどまるか、あるいはその先行が抑制される。エッジを伝う液の先行を検出区間２１まで持続して抑制するため、接続区間２４は、連結区間２２における検出区間２１側の端に達するか、又は連結区間２２における検出区間２１側の端を越えて検出区間２１に及んでいることが好ましい。（ＦＩＧ．６Ｂ）
【００３９】
エッジを伝って先行した液が、本流路４において接続区間２４の導入区間２０側の端にとどまっているか、あるいはその先行が抑制されている間に、後続する液が追い付き、その後は、連結区間２２を流れる液は、連結区間２２の幅方向の略中央部において先行するように流れる。なお、上述のとおり、基板部材１０、１１の境界Ｂは、分流路５内で切断されている。そのため、分流路５に流入した液が、境界Ｂを伝って本流路４に合流し、先行することはない。（ＦＩＧ．６Ｃ）
【００４０】
そして、連結区間２２の幅方向の略中央部において先行するように流れる液は、検出区間２１の幅方向の略中央から次第に両側に広がって検出区間２１に流入する。それにより、連結区間２２の片側における気泡の巻き込みが回避され、送液が安定する。（ＦＩＧ．６Ｄ）
【００４１】
図７及び図８は、図１のマイクロ流路デバイスの変形例であって、マイクロ流路デバイスの本流路と一対の分流路との接続箇所を示す。なお、図８は、一方の基板部材を省略して示している。
【００４２】
図７及び図８に示すマイクロ流路デバイス１において、本流路４における分流路５との接続区間２４は、連結区間２２の検出区間２１側の端から、導入区間２０に及んでいる。
分流路５の流路厚Ｔ３は、導入区間２０における本流路４の流路厚Ｔ１と同じとなっており、接続区間２４のうち導入区間２０と重なる区間２４ｂにおいて、基板２の表面を基準に、分流路５の底面３２と本流路４の底面３０とは同じ深さに位置し、よって、分流路５の天井面３３と本流路４の天井面３１とは同じ深さに位置している。即ち、区間２４ｂにおいて、分流路５の底面３２は、本流路４の底面３０と面一であり、分流路５の天井面３３は、本流路４の天井面３１と面一である。なお、接続区間２４のうち連結区間２２と重なる区間２４ａにおいては、分流路５は、本流路４の底面３０及び天井面３１を跨いで本流路４に接続している。
【００４３】
本流路４の隅は、その底面３０の側縁３０ａ、及び天井面３１の側縁に沿って延びる。また、分流路５の隅も、その底面３２の縁３２ａ、及び天井面３３の縁に沿って延びる。分流路５が、上記のように本流路４に接続することで、本流路４の隅は、接続区間２４の導入区間２０側の端、即ち連結区間２２の手前で分流路５の隅に接続する。また、基板部材１０、１１の境界Ｂも、接続区間２４の導入区間２０側の端、即ち連結区間２２の手前で分流路５に引き込まれ、分流路５を経由する。
【００４４】
図９は、図７のマイクロ流路デバイスの送液を模式的に示す。
【００４５】
導入区間２０を流れる液は、上述のとおり、液の表面張力に起因して、導入区間２０の幅方向のいずれか片側のエッジを伝って先行する。図示の例では、図中下側を伝って先行している。（ＦＩＧ．９Ａ）
【００４６】
先行する液は、分流路５が接続している接続区間２４の導入区間２０側の端に達する。上述のとおり、本流路４の隅は、そこで分流路５の隅に接続しており、基板部材１０、１１の境界Ｂもまた、分流路５に引き込まれている。よって、先行する液は、接続区間２４の導入区間２０側の端で分流路５に流入し、本流路４においては、接続区間２４の導入区間２０側の端に確実にとどまる。（ＦＩＧ．９Ｂ）
【００４７】
先行する液が、接続区間２４の導入区間２０側の端、即ち連結区間２２の手前でとどまっている間に、後続する液が追い付き、その後は、本流路４を流れる液は、幅方向の略中央部において先行するようにして、接続区間２４、それに連なる連結区間２２を流れる。（ＦＩＧ．９Ｃ）
【００４８】
そして、連結区間２２の幅方向の略中央部において先行するように流れる液は、検出区間２１の幅方向の略中央から次第に両側に広がって検出区間２１に流入する。それにより、連結区間２２の片側における気泡の巻き込みが回避され、送液が安定する。（ＦＩＧ．９Ｄ）
【００４９】
このように、先行する液を、接続区間２４の導入区間２０側の端で、即ち連結区間２２の手前で分流路５に流入させるようにすれば、本流路４の幅方向の略中央部において先行して流れる状態として液を連結区間２２に到達させることができ、連結区間２２の片側における気泡の巻き込みをより確実に回避することができる。
【００５０】
以上説明したように、本明細書に開示されたマイクロ流路デバイスは、液を流通させる流路が設けられたマイクロ流路デバイスであって、前記流路は、本流路と、前記本流路を挟んで該本流路にそれぞれ接続する一対の分流路と、を備え、前記本流路は、第１の区間と、第２の区間と、前記第１の区間と前記第２の区間とを連結する連結区間と、を含み、前記第２の区間は、前記第１の区間に比べて、底面と天井面との間隔が小さく、前記連結区間は、前記第１の区間から前記第２の区間に向けて、底面と天井面との間隔が次第に小さくなっており、前記本流路における前記一対の分流路との接続区間と、前記連結区間とは、重なりを有し、前記一対の分流路は、少なくとも前記接続区間と前記連結区間とが重なる区間において、前記本流路の底面及び天井面を跨いで該本流路に接続している。
【００５１】
また、本明細書に開示されたマイクロ流路デバイスは、前記接続区間が、前記第１の区間に及んでおり、前記一対の分流路の各々の底面が、前記本流路の前記第１の区間における底面と面一であり、前記一対の分流路の各々の天井面が、前記本流路の前記第１の区間における天井面と面一である。
【００５２】
また、本明細書に開示されたマイクロ流路デバイスは、前記接続区間が、前記連結区間における前記第２の区間側の端に達しているか、又は前記第２の区間に及んでいる。
【００５３】
また、本明細書に開示されたマイクロ流路デバイスは、複数の基板部材が積層されてなる基板を備え、前記本流路及び前記一対の分流路が、隣り合う二枚の前記基板部材の間に形成されており、前記一対の分流路が、これら二枚の基板部材に跨っている。
【００５４】
また、本明細書に開示されたマイクロ流路デバイスは、前記第２の区間が、毛細管力で液体が浸潤する。
【００５５】
また、本明細書に開示されたマイクロ流路デバイスは、前記第２の区間における底面と天井面との間隔が、０．２ｍｍ以下である。
【００５６】
また、本明細書に開示されたマイクロ流路デバイスは、前記第２の区間に、該第２の区間を流れる液に含まれる検出対象物質を検出する検出手段が設けられている。
【００５７】
また、本明細書に開示されたマイクロ流路デバイスは、前記検出対象物質が、抗原であり、前記検出手段が、前記抗原を特異的に吸着する抗体である。
【符号の説明】
【００５８】
１  マイクロ流路デバイス
２  基板
３  流路
４  本流路
５  分流路
１０  基板部材
１１  基板部材
１２  溝
１３  溝
１４  導入孔
１５  排出孔
２０  導入区間
２１  検出区間
２２  連結区間
２３  排出区間
２４  接続区間
２５  接続口
３０  底面
３１  天井面
３２  底面
３３  天井面
【図１】
2011163986.tif 000003
【図２】
2011163986.tif 000004
【図３】
2011163986.tif 000005
【図４】
2011163986.tif 000006
【図５】
2011163986.tif 000007
【図６】
2011163986.tif 000008
【図７】
2011163986.tif 000009
【図８】
2011163986.tif 000010
【図９】
2011163986.tif 000011
【図１０】
2011163986.tif 000012
【図１１】
2011163986.tif 000013